(57)【特許請求の範囲】
【請求項１】
チャック部材との間に掛寝具を挟んで捉えるチャック部と、
チャック部を吊り下げるアーム部とを備える寝具吊り下げ具であって、
前記チャック部が、
一対の腕を備えるチャックと、前記一対の腕のうち一の腕に取り付けられ前記一の腕がその動きに追従するレバーＡと、
前記一対の腕のうち他の腕に取り付けられ前記他の腕がその動きに追従するレバーＢと、
前記一の腕と前記他の腕を軸着する軸と、
前記レバーＡに取り付けた面ファスナーＡと、テープ型の面ファスナーＢを備え、
前記面ファスナーＢを引いたり戻したりすることが前記レバーＡと前記レバーＢに前記軸を中心とした開閉をもたらすように面ファスナーＢは前記レバーＡと前記レバーＢを亘っており、
前記レバーＡと前記レバーＢの開閉に追従して開かれたチャックの腕が形成する空所に前記掛寝具が挟み込まれ、
前記面ファスナーＡと前記面ファスナーＢが互いに張り付けられることによりチャック部が掛寝具を捉える寝具吊上げ具。
【請求項２】
前記チャックが二対備わることを特徴とする請求項１に記載の寝具吊上げ具。
【請求項３】
前記チャック部が、チャック取付機構とチャック機構とからなり、前記チャック機構が、チャック取付機構に対し付け外し容易にされていることを特徴とする請求項１に記載の寝具吊上げ具。
【請求項４】
前記アームが寝具の長軸方向に伸縮自在とされていることを特徴とする請求項１に記載の寝具吊り下げ具。
【請求項５】
前記アームがスタンドアームであって寝具に取り付けるフットを有することを特徴とする請求項１に記載の寝具吊り上げ具。
【請求項６】
前記フットが、前記寝具の縁のうち就寝者の足側の縁において敷寝具の裏側に挟み込まれることによって、スタンドアームが寝具に取り付けられることを特徴とする請求項５に記載の寝具吊上げ具。
【請求項７】
前記スタンドアーム部が基部で回転自在にされており、非使用時には寝具の上方のスタンドアームが邪魔な位置から逃すことができる請求項５に記載の寝具吊上げ具。
【請求項８】
前記チャック部が寝具の長軸方向に移動可能にされたことを特徴とする請求項１に記載の寝具吊上げ具。
【請求項９】
前記チャック部が複数取り付けられたことを特徴とする請求項１に記載の寝具吊上げ具。
【発明の詳細な説明】
【技術分野】
【０００１】
発明は、寝具のうち就寝時に人体の上に掛けるもの、すなわち掛寝具を、上方から吊上げ、掛寝具の重量による人体への負担を軽くする装置に関する。
【背景技術】
【０００２】
病人や高齢者等にとっては、掛寝具使用時に掛寝具の重量が身体への負担となる場合がある。掛寝具の重量が負担となって寝返りを妨げ、床ずれの原因となったり、怪我の部位に掛かる掛寝具の重量が負担となって痛みの原因となったりする。また、寝返りを打つ際に、掛寝具が身体の向きに追従して移動し、移動した掛寝具を元に戻すための就寝者の力が不足しているために掛寝具が移動したままになり、寝冷えの原因となったりする。従来、掛寝具の重量による人体への負担を軽くするものとして特許文献１から６に記載のもの等、多種の発明があった。
【０００３】
特許文献１に記載の就寝用支持枠は、本発明と同様、布団の重量からの身体の圧迫を軽減することを目的としている。特許文献１には、図１１に示すとおり、使用者の身長と同程度の長さの基底部１０３と、この基底部に設けられた複数の連結孔１０２に差し込まれたアーチパイプ１０１によって形成された寝具用支持枠が開示されている。掛寝具１０４はアーチパイプ１０１が形成するかまぼこ型の就寝空間の上に掛けられ、布団の重量からの身体の圧迫が軽減される。
【０００４】
特許文献２に記載の掛布団構造は、人体と掛布団との間に間隙を形成し就寝時に掛布団の重みを感じないようにすることを目的としている。特許文献１に記載の就寝用支持枠と同様、かまぼこ型の就寝空間を形成するものである。
【０００５】
特許文献３に記載の寝具昇降装置は、ベッド上で身体に作用する上掛け寝具の荷重を軽減し又は解消するとともに、跳ね上げた上掛け寝具が人の行動等を制約しないようにし、しかも、ベッド上の人の多様な姿勢等に対して上掛け寝具を適応又は追随せしめることを目的とする。目的は本発明と同様であるが、大掛かりな装置であり、汎用性が低い。
【０００６】
特許文献４に記載の引き寄せとって付スライド式吊り寝具システムは、高齢や疾病により、体力が落ち寝具が重く感じたり、手先の力が弱まったりしたときに、寝具の体感重量を軽くするとともに、介助者の手助け無しに、ベッド上で寝床動作が容易にできることを目的としている。特許文献４には、掛けふとん、肌掛けふとん、毛布、タオルケット、起毛シーツ等寝具の左右両側に３ヵ所から７ヵ所、足元側に３ヵ所から５ヵ所に吊り取っ手を、ならびに寝具の頭側の２ヵ所に、引き寄せ取っ手をつけるとともに、ベッド柵にスライド式クリップを付けた引き寄せ取っ手付スライド式吊り寝具システムが記載されている。
【０００７】
特許文献５には、掛布団がずり落ちないようにする布団ストッパーが記載されている。図１２に示すとおり、掛寝具１１３を挟持するための１個或いは２個以上のクリップ部１１０と、柔軟性のある連結体１１４を上方に設けた下部固定部１１１とからなる布団ストッパーである。就寝時に掛寝具を水平方向から吊るものであり、重力方向への吊上げは不十分である。
【０００８】
特許文献６には、寝床上の空間にフトンを掛け渡し広げるためのフトン掛けが記載されている。図１３に示すとおり、アームと前記アームを支える支柱とから成るフトン支持体１２０を、複数本、ベース部１２１に立設したフトン掛けであって、前記アームが寝床上の空間に位置するよう、敷寝具１２２の下方にベース部１２１を挟み込んで設置される。フトン支持体１２０のアーム複数本の全部または一部にフトンを掛け渡すことにより、寝床上の空間にフトンのほぼ全体またはその一部分を広げて保持可となっている。
【先行技術文献】
【特許文献】
【０００９】
【特許文献１】特開２０１３−６３２６３公報
【特許文献２】実用新案登録第２５５４６３２号公報
【特許文献３】特開２０１２−２３５８７７公報
【特許文献４】特開２００８−１６１６２１公報
【特許文献５】実開平６−４４４７６号公報
【特許文献６】特開２００９−９５６５３公報
【発明の概要】
【発明が解決しようとする課題】
【００１０】
掛寝具自体の重さが就寝者に与える圧迫感を解消する手段であって、掛寝具の厚さや材質にかかわらず対応可能であり、かつ、構造・取り扱いが簡単なものを提供することを課題とする。
【課題を解決するための手段】
【００１１】
チャック部材との間に掛寝具を挟んで捉えるチャック部と、チャック部を吊り下げるアームとを備える寝具吊り下げ具によって課題を解決する。
【００１２】
掛寝具は、チャック部材とチャック部によって挟まれる。具体的には、掛寝具を使用する際の人間の側からチャック部材が掛寝具にあてがわれ、チャック部が、掛寝具の上側から、チャック部材と共に掛寝具を挟む。チャック部が掛寝具を挟んで捉えるにあたり、捉える手段は様々である。一対のチャックで成るようにし、後述の通りテープ型ファスナで止める構成にしてもよいし、ひもで結んでもよいし、ボタンで留めてもよい。また、バンド形式で止めてもよい。安易な方法で付け外し可能であればよい。
【００１３】
前記チャック部が、一対の腕を備えるチャックと、前記一対の腕のうち一の腕に取り付けられ前記一の腕がその動きに追従するレバーＡと、前記一対の腕のうち他の腕に取り付けられ前記他の腕がその動きに追従するレバーＢと、前記一の腕と前記他の腕を軸着する軸と、前記レバーＡに取り付けた面ファスナーＡと、テープ型の面ファスナーＢを備え、前記面ファスナーＢを引いたり戻したりすることが前記レバーＡと前記レバーＢに前記軸を中心とした開閉をもたらすように面ファスナーＢは前記レバーＡと前記レバーＢを亘っており、前記レバーＡと前記レバーＢの開閉に追従して開かれたチャックの腕が形成する空所に前記掛寝具が挟み込まれ、前記面ファスナーＡと前記面ファスナーＢが互いに張り付けられることによりチャック部が掛寝具を捉えることを特徴とする寝具吊上げ具によって課題を解決する。
【００１４】
掛寝具には、掛布団、毛布、タオルケット、等、寝具のうち、就寝者の身体に掛けるものすべてを含む。本願の寝具吊上げ具は、掛寝具の材質や重さに左右されずに利用できる。
【００１５】
掛寝具が吊上げられることによって、掛寝具自体の重さが就寝者に与える圧迫感が解消する。また、手術やけが等により、痛みのある患部がある場合に、そのような患部に与える掛寝具の負荷を軽減できる。また、掛寝具が吊上げられることによって寝返りが容易となるため、高齢者、身体障害者、病人等の床ずれ防止になる。また、掛寝具が就寝者の身体の動きに追従しないので、睡眠中の掛寝具の位置がずれることを防止でき、掛寝具が就寝者の身体を覆う状態を維持できる。また、掛寝具を吊上げることにより、就寝者と掛寝具との間に空間ができるため、睡眠時間中の蒸れを軽減できる。
【００１６】
スタンドアームは、掛寝具を吊上げるために、掛寝具から離れる方向に延びている必要がある。スタンドアームは例えば、フットとスタンド部とアーム部が形成するコの字型の部材であり、フットが敷寝具の裏側と、畳やマットレスやベッドとの間に挟み込まれて使用されるために寝具と平行する方向に向き、スタンド部は寝具から、垂直方向上方に向けてフットとの間でＬ字形状を形成して立ち上がり、寝具から垂直方向に程よく寝具から離れた位置で、再度、寝具と水平の方向に向いてＬ字型に折れ曲がる。スタンド部の高さの選択次第で、敷寝具のマットレスの厚み等に、対応できる。また、スタンド部は高さ調節可能にされていてもよい。
【００１７】
前記チャックが二対備わることを特徴とする寝具吊上げ具によって課題を解決する。
【００１８】
開かれた前記チャックの前記腕が形成する前記空所に前記掛寝具が挟み込まれる際、前記空所において、前記レバーＡ及び前記レバーＢとの間に前記掛寝具を挟むチャック部材が、ともに挟み込まれることを特徴とする寝具吊上げ具によって課題を解決する。チャック部材は、チャックの腕が形成する前記空所に、掛寝具と共に挟み込まれるので、その形状は、チャックの腕が形成する前記空所の形状に対応している。たとえば、チャック部を構成するチャックが二対あり、二対が平行に並んで掛寝具を挟むように構成されている場合には、チャック部材の形状は、二対のチャックに一度に挟み込まれることが可能となるよう、棒状である。チャックとチャック部材は、いずれも掛寝具の、就寝者の身体側ではなく、外側に存する。このため、掛寝具の肌触りを損なわない。
【００１９】
前記チャック部が、チャック取付機構とチャック機構とからなり、前記チャック機構が、チャック取付機構に対し付け外し容易にされていることを特徴とする寝具吊上げ具によって課題を解決する。
【００２０】
前記アームがスタンドアームであって寝具に取り付けるフットを有する寝具吊り下げ具によって課題を解決する。
【００２１】
前記チャック部が、チャック取付機構とチャック機構とからなり、前記チャック機構が、チャック取付機構と付け外し容易にされている場合、チャック取付機構は、アームに取り付けられている。このため、チャック機構をチャック取付機構から付け外しすることは、チャック機構を、アームから取り外すことを意味する。チャック機構をアームから取り外すことにより、掛寝具をチャック機構に挟み込む作業を容易に行うことができる。
【００２２】
前記フットが、前記寝具の縁のうち就寝者の足側の縁において敷寝具の裏側に挟み込まれることによって、スタンドアームが寝具に取り付けられることを特徴とする寝具吊上げ具によって課題を解決する。
【００２３】
本願の寝具吊上げ具は、フットを敷寝具の裏側に挟み込んで利用するため、畳、ベッド式寝具のいずれにも装着できる。
【００２４】
フットを、前記寝具の縁のうち就寝者の足側の縁において敷寝具の裏側に挟み込んで使用することにより、スタンドアームのスタンド部は、就寝者の足側に位置するようになり、この結果、就寝者の寝具への出入りが容易になる。また、フットの長さを、敷寝具に差し込んだ際に、先端が就寝者のこし位置よりも下方になるようにすることにより、就寝中の、敷寝具の裏側にフットが差し込まれていることによる影響を最小限にできる。
【００２５】
前記スタンドアーム部が基部で回転自在にされており、非使用時には寝具の上方のスタンドアームが邪魔な位置から逃すことができる寝具吊上げ具によって課題を解決する。
【００２６】
前記チャック部が寝具の長軸方向に移動可能にされたことを特徴とする寝具吊上げ具によって課題を解決する。
【００２７】
チャック部を、寝具の長軸方向に移動可能としたことにより、掛寝具を吊上げる位置を、寝具の長軸方向に自在とすることができる。
【００２８】
前記チャック部が複数取り付けられたことを特徴とする寝具吊上げ具によって課題を解決する。
【００２９】
チャック部は、掛寝具を捉えて吊上げるものとして機能するため、チャック部を二対備えることにより、掛寝具を捉える位置を二か所選択でき、掛寝具のうち所望部位を吊上げることができる。
【発明の効果】
【００３０】
掛寝具が吊上げられることによって、掛寝具自体の重さが就寝者に与える圧迫感が解消する。また、手術やけが等により、痛みのある患部がある場合に、そのような患部に与える掛寝具の負荷を軽減できる。また、掛寝具が吊上げられることによって寝返りが容易となるため、高齢者、身体障害者、病人等の床ずれ防止になる。また、掛寝具が就寝者の身体の動きに追従しないので、睡眠中の掛寝具の位置がずれることを防止でき、掛寝具が就寝者の身体を覆う状態を維持できる。
【００３１】
スタンド部は程よい高さであり、アーム部は寝具と平行する方向に延びておりある程度の強度を備えているため、寝具吊上げ具として使用するほか、アームに寝具を掛け、布団干しとして利用できる。
【００３２】
本願の掛寝具吊上げ具は、掛寝具の材質（綿、羽毛、化学繊維等）による重さに左右されない。すなわち、綿のような重い掛寝具であっても掛寝具自体の重さが就寝者に与える圧迫感を解消できるし、また、羽毛のような軽い掛寝具であっても、同様である。
【００３３】
本願の寝具吊上げ具は、寝具を畳に敷く場合にも、ベッドにも利用できる。また、いかなるマットレスの厚さにも対応できる。
【００３４】
本願の寝具吊上げ具は、掛寝具の就寝者の身体側には部材がないので、掛寝具の肌触りを損なわない。
【００３５】
本願の寝具吊上げ具は、非使用時に、アームを取り外したり、ベッドの長軸方向から逃したりできるので、非使用時に邪魔にならない。
【００３６】
本願の寝具吊上げ具は、薄い掛寝具にも、厚い掛寝具にも利用できる。
【００３７】
本願の寝具吊上げ具は、構造・取扱が簡単であるため、低コストである。
【図面の簡単な説明】
【００３８】
【図１】本願実施例１に係る寝具吊上げ具の使用状態を斜視図で示す
【図２】本願実施例１に係る寝具吊上げ具の使用状態を側面図で示す。
【図３】本願実施例１に係る寝具吊上げ具を斜視図で示す。
【図４】本願実施例１に係る寝具吊上げ具を側面図で示す。
【図５】本願実施例１に係る寝具吊上げ具のチャック部を斜視図で示す。
【図６】本願実施例１に係る寝具吊上げ具のチャック部を正面図で示す。
【図７】本願実施例１に係る寝具吊上げ具のチャック部を側面図で示す。
【図８】図７のＡ−Ａ断面図を示す。
【図９】本願実施例１に係る寝具吊上げ具のチャック部の使用状態を示す。
【図１０】本願実施例２に係る寝具吊上げ具の使用状態を示す。
【図１１】引用１を示す。
【図１２】引用５を示す。
【図１３】引用６を示す。
【発明を実施するための形態】
【００３９】
以下、本発明の好適な実施の形態について、図面を参照し説明する。
【実施例１】
【００４０】
就寝具がベッドである場合の寝具吊上げ具（１）の使用状態を図１に示し、就寝具がベッドではなく畳の上に敷かれる場合の使用状態を図２に示す。図１又は図２に示す通り、寝具吊上げ具（１）は、フット（１０）、スタンドアーム部（２０）及びチャック部（３０）よりなる。
【００４１】
就寝具がベッドである場合、例えばベッドの上にベッドマットレス（４）、敷寝具（２）の順に寝具が敷かれ、その上にまくら（６）が置かれ、就寝者はその上に身体をよこたえ、掛寝具（５）を掛けて寝る。就寝具がベッドではなく畳の上に敷かれる場合、例えば畳の上に敷マット（３）、敷寝具（２）の順に寝具が敷かれ、上記と同様、その上にまくら（６）が置かれる。就寝者はその上に身体をよこたえ、掛寝具（５）を掛けて寝る。寝具吊上げ具（１）は、そのフット（１０）をベッドマットレス（４）とベッドの間や敷マット（３）と畳の間に挟み込んで、寝具に取り付ける。フット（１０）の長さは寝具の全長のほぼ三分の一を占めており、寝具への食い込みが十分なため、寝具吊上げ具（１）は安定した起立状態を保つことができる。
【００４２】
図３及び図４を参照して寝具吊上げ具（１）に関し説明する。寝具吊上げ具（１）は、フット（１０）と、スタンドアーム部（２０）と、チャック部（３０）からなる。スタンドアーム部（２０）はフット（１０）と接合するＬ型取付け具（２１）、Ｌ型取付け具（２１）とアーム取付け具（２２）で接合するアームＡ（２３）、アームＡ（２３）と高さ調節リング（２４）で接合するＬ字型のアームＢ（２５）でなる。マットレスの厚みに対応するため、高さ調節リング（２４）により、寝具吊上げ具（１）の上下方向の高さを調節できる。寝具への食い込みが十分なため、寝具吊上げ具（１）は安定した起立状態を保つことができる。フット（１０）の長さは、前述の通り寝具への組み込みが十分になるようにする必要があることに加え、ベッドに就寝時、人の身体の平均的な臀部の位置よりも下方にフット（１０）が収まるよう、考慮して決める。臀部よりも上方に及ぶと、就寝者がその厚みが気になり、就寝の妨げになる場合があるからである。フット（１０）の厚さは、マットレスとベッド枠の隙間等に入りやすいよう、例えば１０ｍｍくらいにする。
【００４３】
図３に示す通り、フット（１０）に切欠きが設けてあると、切欠きを利用してベッドのパイプ等にひも等を用いて結び付ける等、寝具吊上げ具（１）をベッドに強固に取り付けることができる。さらに、Ｌ型取付け具（２１）に、フット（１０）と同様の切欠きを設けて、同様にひも等を用いて結びつけることにより、寝具吊上げ具（１）をベッドに強固に取り付けることができる。寝具吊上げ具（１）がベッドに強固に取り付けられることにより、寝具吊上げ具（１）は、就寝者がベッドから起き上がる際の「つかまり棒」として用いることができる。図３に示す通り、スタンドアーム部（２０）の任意の位置に、補助取っ手（２７）を取り付けてもよい。
【００４４】
アームＢ（２５）は、伸縮手段を備えていてもよい（図示せず）。この伸縮手段により、アームＢは掛寝具の長軸方向に伸縮でき、例えば、就寝者を介護する者にとって介護時にアームが邪魔になる場合に、アームを縮めて避けることができる。また、アームＢが伸縮することにより、チャック部を付け替えることなく、就寝者とチャック部の位置関係を変更することができる。すなわち、就寝者が、掛寝具が身体に触れない位置（すなわちチャック部により掛寝具が持上げられた一）を上方に移動させたい場合、アームＢを伸ばすことにより、チャック部が就寝者の頭の方向に移動し、その結果就寝者の望みは達成される。
【００４５】
高さ調節リング（２４）は、アームＢ（２５）とアームＡ（２３）の取り付けを緩めるものとして機能するので、高さ調節リング（２４）によりアームＢ（２５）とアームＡ（２３）の取り付けを緩めて、アームＢ（２５）を９０度回転させ、寝具吊上げ具（１）の非利用時に邪魔にならないよう、ベッドの長軸方向から逃すことができる。アームを回転させるための機構に関し、アームＢ（２５）とアームＡ（２３）の間に、ロック式の回転ジョイントを用いてもよい。また、スタンドアーム部（２０）を、カーブのないＩ字型の二本のアームで構成し、一本をベッドの鉛直方向、他の一本をベッドの長軸方向に用いてＬ字を形成するようにしてもよい。この場合、非使用時にベッドの長軸方向に向いたアームをベッドの長軸方向から逃すために、二本のアームはロック式の回転式ジョイントで繋げる。
【００４６】
アームＢ（２５）は取り外すこともできる。アームＢ（２５）を取り外した場合、アームＡ（２３）の端部には、使用者が指等をひっかけてけがをしないよう、キャップをする（図示せず）。
【００４７】
図３に点線で示す通り、スタンドアーム部（２０）にボックス（２８）を設けてもよい。ボックス（２８）には、アームＢ（２５）を取り外した際にアームＡ（２３）の端部に取り付けるキャップや、高さ調節リング（２４）等を調節する際の工具等を、収納する。
【００４８】
アームＢ（２５）に補強バー（２６）を設けてもよい。
【００４９】
図４に示す通り、本願の寝具吊上げ具（１）では、符号２９で示す点線を境界に、内側に出っ張る部材がないように構成されている。これにより、マットレスの厚みに自在に対応できる。寝具吊上げ具（１）の起立状態を確保するためにはフット（１０）が水平方向に、ある程度の幅を備える必要があり、水平方向にある程度の幅を備えたフット（１０）とベッドの鉛直方向に向けた部材を強固に取り付けるためには、鉛直方向に向けた部材に、同様のある程度の幅をもたせることが望ましい。このため、Ｌ型取付具（２１）必要になる。また、寝具吊り下げ具（１）全体の重さ等を考慮すると、スタンドアーム部（２０）は、パイプ状の部材が望ましい。これらの要請の結果、図４に示す通り、スタンドアーム部（２０）は、Ｌ型取付け具（２１）、パイプ状部材のアームＡ（２３）とアームＢ（２５）で構成される。
【００５０】
図示しないが、符号２９で示す点線を境界に、内側ではなく外側に、出っ張る部材がないように構成してもよい。ベッド等の寝具を設置する場所が、部屋の壁際である場合に有効である。
【００５１】
掛寝具の長軸方向の長さがベッドや敷寝具の長軸方向長さよりも長く、図１〜図４に示す通りに寝具吊上げ具（１）を取り付けるのでは、掛寝具が就寝者を十分に覆うことができない場合がある。このような場合、フット（１０）と接合する部材（図１から図４ではＬ型取付け具（２１））に、長くはみ出した掛寝具を受ける部位を設ける（図示せず）。この場合、フット（１０）と接合する部材は、Ｌ型ではなく、下方や就寝者の足方向に延長する方向の凸部を有する形状となる。
【００５２】
図５〜図８を参照して、チャック部（３０）に関し説明する。チャック部（３０）は、チャック取付け機構（５４）とチャック機構（５５）からなる。チャック取付け機構（５４）はチャック部（３０）を寝具吊上げ具（１）のアームＢ（２５）に取り付けるためのカラー（３１）とベルト（３３）を有する。ベルト（３３）はバックル（３４）によって長さ調節ができる。カラー（３１）の内周に寝具吊上げ具（１）のアームＢ（２５）が嵌合する。ねじ（３２）を緩めることによりカラー（３１）はアームＢ（２５）に沿って自由に移動することができ、チャック部（３０）の位置決めをした後、ねじ（３２）を締めてスタンドアーム部（２０）にチャック部（３０）を固定させる。
【００５３】
チャック機構（５５）は、チャック軸（４３）を中心にチャック軸（４３）の周方向に開閉する二対のチャックからなる。一対（チャックＡ（３９，４１））はチャック軸（４３）の一方端に、もう一対（チャックＢ（４０，４２））はチャック軸（４３）の他方端に、軸着されている。チャックＡはチャックＡａ（３９）とチャックＡｂ（４１）の一対でなり、とチャックＢは、チャックＡｂ（４１）とチャックＢｂ（４２）の一対でなる。
【００５４】
チャック軸（４３）を中心にチャック軸（４３）の周方向に開閉する二対のチャックに関し、一の一対のチャックのうちの一つのチャックすなわちチャックＡａ（３９）と、他の一対のチャックのうち一のチャックすなわちチャックＢａ（４０）には、チャック軸（４３）の長軸方向に延びるレバーＢ（３８）が固着されている。一の一対のチャックのうちの他のチャックすなわちチャックＡｂ（４１）と、他の一対のチャックのうち一のチャックすなわちチャックＢｂ（４２）には、チャック軸（４３）の長軸方向に延びるレバーＡ（３７）が固着されている。
【００５５】
レバーＢ（３８）とレバーＡ（３７）は、それぞれチャックＡとチャックＢに固着されているため、レバーＢ（３８）の動きに追従してチャックＡのうちａ（３９）とチャックＢのうちａ（４０）が動く。また、レバーＡ（３７）の動きに追従してチャックＡのうち、ｂ（４１）とチャックＢのうちｂ（４２）も動く。
【００５６】
チャック軸（４３）の長軸方向中央付近にベルト（３５）が取り付けてある。チャック機構を掛寝具に取り付ける作業が終了し、掛寝具を吊上げる際には、ベルト（３５）を、ジョイント（３６）を介してベルト（３３）に取り付ける。
【００５７】
図９を用いて、チャック機構が掛寝具を把持する方法を説明する。レバーＢ（３８）には孔Ｂ（４８）が設けてあり、レバーＡ（３７）には孔Ｂ（４８）が設けてある。レバーＢ（３８）の外壁には面ファスナーｂ（５１）が固着されている。面ファスナーａ（５０）が、孔Ｂ（４８）と孔Ａ（４９）を通り、レバーＢ（３８）の下端とレバーＡ（３７）の下端を亘っている。面ファスナーａ（５０）の一端はレバーＢ（３８）の下端に取り付けてあり、かつ、面ファスナーａ（５０）の他端は面ファスナーｂ（５１）に、ファスナー止めされている（図９の（ａ））。図９の（ｂ）に示す通り、面ファスナーａ（５０）と面ファスナーｂ（５１）のファスナー止めを取り外し（Ｉ）、レバーＡ（３７）とレバーＢ（３８）の上方を互いに引き寄せ、レバーＡ（３７）とレバーＢ（３８）の下方を軸すなわちチャック軸（４３）を中心に開く（II）。開かれて形成された空間に掛寝具（５）を差し入れ、さらに下方から受棒（４５）を差し入れる。図９の（Ｃ）に示す通り、面ファスナーａ（５０）をIVの方向に引き上げる。その結果レバーＡ（３７）とレバーＢ（３８）の下方は互いに引き寄せられ、掛寝具（５）と受棒（４５）はチャックＢｂ（４２）とチャックＢａ（４０）が形成する空間にはめ込まれる。
【００５８】
レバーＡ（３７）とレバーＢ（３８）の下方を開閉させるための機構として、レバーＡ（３７）とレバーＢ（３８）の間に設けたコイルばねを利用する機構も考えられるが、本願では、レバーＡ（３７）とレバーＢ（３８）を亘る面ファスナーを用いる点が重要である。掛寝具は、タオルケットのような薄いものから、綿のフトンのような厚いものまで多種多様であり、厚いものを挟み込むには、力の強いコイルばねが必要である。そのようなコイルばねを開閉するには、大きな力が必要であり、作業者に労力をかける。また、コイルばねは、例えば掛寝具（５）を引っ張る方向に強い力が働いた際には、それに追従してバネが緩み、場合によっては掛寝具（５）と受棒（４５）がチャック機構から抜け落ちる。一方、本願のような面ファスナーによる場合には、一度ファスナー止めすれば、ファスナーをはずすまではチャックＢａ（４０）とチャックＢｂ（４２）を開く方向には力が働かないので、掛寝具（５）と受棒（４５）がチャック機構から抜け落ちることがない。
【００５９】
図７（ｂ）は、チャックＢ（４０，４２）を例に、チャックを下方から見上げた状態を示し、一対の腕（４０，４２）は、向かい合っている。一方、図７（ｃ）は、チャックＢ（４０，４２）を例に、チャックを下方から見上げた状態を示すが、一対の腕（４０，４２）は、向かい合っているが、寝具の長軸方向にずれて向かい合っている。この、寝具の長軸方向のずれがあることにより、厚みのある掛寝具を掴むのに対応可能となる。
【００６０】
図１０に示す通り、スタンドアーム部（２０）に、チャック部（３０）を複数取りつけてもよい。掛寝具の重さによる身体への負担を避けたい部分に応じて、チャック部（３０）を単数にしたり、複数にしたりする対応ができる。また、チャック部（３０）を取り付ける位置も、同様に掛寝具の重さによる身体への負担を避けたい部分に応じて決める。
【符号の説明】
【００６１】
１  寝具吊上げ具
２  敷寝具
３  敷マット
４  ベットマットレス
５  掛寝具
６  まくら
１０  フット
２０  スタンドアーム部
２１  Ｌ型取付け具
２２  アーム取付け具
２３  アームＡ
２４  高さ調節リング
２５  アームＢ
２６  補強バー
２７  補助取っ手
２８  ボックス
３０  チャック部
３１  カラー
３２  ねじ
３３  ベルト
３４  バックル
３５  ベルト
３６  ジョイント
３７  レバーＡ
３８  レバーＢ
３９  チャックＡａ
４０  チャックＢａ
４１  チャックＡｂ
４２  チャックＢｂ
４３  チャック軸
４５  受棒
４８  孔Ｂ
４９  孔Ａ
５０  面ファスナーａ
５１  面ファスナーｂ
５４  チャック取付機構
５５  チャック機構
１０１  アーチパイプ
１０２  連結孔
１０３  基底部
１０４  掛寝具
１１０  布団ストッパー
１１１  下部固定部
１１２  敷寝具
１１３  掛寝具
１２０  アーム
１２１  土台
１２２  敷寝具
【図１】
0005979688.tif 000002
【図２】
0005979688.tif 000003
【図３】
0005979688.tif 000004
【図４】
0005979688.tif 000005
【図５】
0005979688.tif 000006
【図６】
0005979688.tif 000007
【図７】
0005979688.tif 000008
【図８】
0005979688.tif 000009
【図９】
0005979688.tif 000010
【図１０】
0005979688.tif 000011
【図１１】
0005979688.tif 000012
【図１２】
0005979688.tif 000013
【図１３】
0005979688.tif 000014